(57)【特許請求の範囲】
【請求項１】
相対する底部長側壁と相対する底部短側壁とを有する底部と、前記相対する底部長側壁にヒンジ連結された長側壁と、前記相対する底部短側壁にヒンジ連結された短側壁と、前記底部長側壁の両端部に形成された端部係止ブロックとを有するとともに、前記底部長側壁の高さが、前記底部短側壁の高さより高く、且つ、前記底部長側壁の横方向の幅が、前記底部短側壁の横方向の幅より長く形成されている折り畳みコンテナーにおいて、前記端部係止ブロックの内壁面と前記底部短側壁の上面とにより形成される隅部に、前記長側壁が垂直方向に回動した際に、前記長側壁の下端部が当接しないような四分円状の円弧状上面を有する補強部材が配設されているとともに, 前記補強部材の底部長側壁側の上部角部が、前記端部係止ブロックの底部短側壁方向に延在する突出部と同じ高さに形成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来、図６〜図８に示されているように、平面形状が略長方形の底部１と、底部１の相対する底部長側壁１ａに、ヒンジ部を介して連結された長側壁２と、底部１の相対する、上記の底部長側壁１ａより高さの低い底部短側壁１ｂに、同じく、ヒンジ部を介して連結された短側壁３とからなる折り畳みコンテナーが知られている。そして、図８に示されているような折り畳み状態においては、底部１の上に短側壁３が重なるように折り畳まれ、更にその上に、長側壁２が折り畳まれており、そして、折り畳まれた状態の長側壁２を、図７に示されているように、底部１に対して垂直に立て、次いで、折り畳まれた状態の短側壁３を、底部１に対して垂直に立てることにより、図６に示されているように、箱型に組み立てるように構成されている。
【０００３】
底部長側壁１ａの両端部には、底部長側壁１ａを超えて、上方に延在する端部係止ブロック４が形成されており、端部係止ブロック４は、載置面４ａと、載置面４ａより上方に突出した突出部４ｂとを有している。突出部４ｂは、底部長側壁１ａに沿って延在する突出部４ｂ’と、該突出部４ｂ’に直角で、且つ、底部短側壁１ｂ方向に延在する突出部４ｂ”とからなり、平面形状がほぼＬ字状に形成されている。
【０００４】
また、底部１の裏面には、公知のように、折り畳みコンテナーを段積みした際に、下に位置する折り畳みコンテナーの開口部に嵌合される、底部１の裏面の所定幅の周辺部を残して、下方に突出する底部嵌合部が形成されている。そして、折り畳まれた状態の折り畳みコンテナー同士を段積みする際には、折り畳まれた状態の下に位置する折り畳みコンテナーの底部１に形成された端部係止ブロック４の載置面４ａに、上に位置する折り畳まれた状態の折り畳みコンテナーの底部嵌合部が嵌合され、載置されるとともに、底部嵌合部の外側に位置する底部１の下面１’が、端部係止ブロック４の突出部４ｂに載置されるように構成されている。
【０００５】
折り畳まれた状態の折り畳みコンテナー同士を段積みした際には、上に位置する折り畳まれた状態の折り畳みコンテナーが、下に位置する折り畳まれた状態の折り畳みコンテナーに対して、底部短側壁１ｂに沿った方向に水平移動しようとしても、上に位置する折り畳まれた状態の折り畳みコンテナーの底部嵌合部が、下に位置する折り畳まれた状態の折り畳みコンテナーの底部長側壁１ａに沿って延在する突出部４ｂ’に当接するので、その移動が阻止され、また、上に位置する折り畳まれた状態の折り畳みコンテナーが、下に位置する折り畳まれた状態の折り畳みコンテナーに対して、底部長側壁１ａに沿った方向に水平移動しようとしても、上に位置する折り畳まれた状態の折り畳みコンテナーの底部嵌合部が、下に位置する折り畳まれた状態の折り畳みコンテナーの底部短側壁１ｂ方向に延在する突出部４ｂ”に当接するので、その移動が阻止され、従って、折り畳まれた状態の折り畳みコンテナー同士を、安定した状態で段積みすることができるように構成されている。
【０００６】
なお、２’は、長側壁２の両端部に配設された、嵌合孔等が形成された係合部であり、また、３’は、短側壁３の両端部に配設された、上記長側壁２の係合部に形成された嵌合孔に嵌合されるとともに、長側壁２の係合部に係止される係止爪等を有する係合部であり、折り畳みコンテナーが組み立てられた際に、長側壁２の両端部に配設された係合部２’と短側壁３の両端部に配設された係合部３’とが、係合し合って、簡単には、長側壁２と短側壁３との係合が解除されて、短側壁３が内側に倒れないように構成されている。
【０００７】
【発明が解決しようとする課題】
従来の折り畳みコンテナーにおいては、底部１の底部長側壁１ａは、底部短側壁１ｂより背が高く、また、横方向の幅がより長いので、底部長側壁１ａが強度的に弱いという問題があった。例えば、底部長側壁１ａの上端部に横方向の外力が作用したような場合には、底部長側壁１ａが傾いたり、或いは、底部長側壁１ａの上端部に垂直に外力が作業した場合には、底部長側壁１ａが変形したり、座屈を起こすという問題があった。
【０００８】
本発明の目的は、上述した従来の折り畳みコンテナーが有する課題を解決することにある。
【０００９】
【課題を解決するための手段】
本発明は、上述した目的を達成するために、相対する底部長側壁と相対する底部短側壁とを有する底部と、前記相対する底部長側壁にヒンジ連結された長側壁と、前記相対する底部短側壁にヒンジ連結された短側壁と、前記底部長側壁の両端部に形成された端部係止ブロックとを有するとともに、前記底部長側壁の高さが、前記底部短側壁の高さより高く、且つ、前記底部長側壁の横方向の幅が、前記底部短側壁の横方向の幅より長く形成されている折り畳みコンテナーにおいて、前記端部係止ブロックの内壁面と前記底部短側壁の上面とにより形成される隅部に、前記長側壁が垂直方向に回動した際に、前記長側壁の下端部が当接しないような四分円状の円弧状上面を有する補強部材を配設するとともに, 前記補強部材の底部長側壁側の上部角部を、前記端部係止ブロックの底部短側壁方向に延在する突出部と同じ高さに形成したものである。
【００１０】
【実施例】
以下に、本発明の実施例について説明するが、本発明の趣旨を越えない限り何ら、本実施例に限定されるものでない。なお、上述した折り畳みコンテナーと同じ構成部材については、その説明を省略するとともに、同じ符号が使用されている。
【００１１】
本実施例の折り畳みコンテナーも、平面形状が略長方形の底部１と、底部１の相対する底部長側壁１ａに、ヒンジ部を介して連結された長側壁２と、底部１の相対する、上記の底部長側壁１ａより高さの低い底部短側壁１ｂに、同じく、ヒンジ部を介して連結された短側壁３とから構成されている。また、底部長側壁１ａの両端部には、載置面４ａと突出部４ｂとを有する端部係止ブロック４が形成されている。
【００１２】
本実施例においては、底部１の底部長側壁１ａと端部係止ブロック４とにより形成される内壁面１ｃと、底部短側壁１ｂの上面１ｂ１とにより形成される隅部に、板状或いはブロック状の補強部材５を形成したものである。補強部材５の底部長側壁１ａ側の上部角部５ａは、底部長側壁１ａの両端部に形成された端部係止ブロック４の底部短側壁１ｂ方向に延在する突出部４ｂ”と略同じ高さに形成されており、また、補強部材５には、上部角部５ａから底部短側壁１ｂ方向に向かって下方に湾曲した、所定の曲率半径Ｒを有する四分円状の円弧状上面５ｂが形成されており、更に、四分円状の円弧状上面５ｂの下部付近からは、略垂直な垂直面５ｃが延在している。
【００１３】
上述したように、底部１の底部長側壁１ａと端部係止ブロック４とにより形成される内壁面１ｃと、底部短側壁１ｂの上面１ｂ１とにより形成される隅部に配設された補強部材５は、底部長側壁１ａ側の上部角部５ａから底部短側壁１ｂ方向に向かって下方に湾曲した、所定の曲率半径Ｒを有する四分円状の円弧状上面５ｂを有しているが、この曲率半径Ｒは、図３或いは図４に示されている折り畳みコンテナーが折り畳まれた状態から、長側壁２を垂直方向に回動させて、図１及び図５に示されているように、長側壁２を略垂直に立てる過程において、長側壁２の補強部材５付近に位置する下部水平リブ２ａの外側先端部２ａ’が、補強部材５に当接しないような曲率半径Ｒに形成されている。
【００１４】
上述した実施例に限らず、底部１の底部長側壁１ａと端部係止ブロック４とにより形成される内壁面１ｃと、底部短側壁１ｂの上面１ｂ１とにより形成される隅部に配設された補強部材５は、略水平状態の長側壁２を、垂直方向に回動させて、略垂直に立てる過程において、長側壁２の補強部材５付近に位置する下部水平リブ２ａの外側先端部２ａ’が、補強部材５に当接しないようなものであれば、適宜、種々の形状に構成することができる。例えば、図３或いは図４に示されているように、略水平状態に折り畳まれた状態の長側壁２の下部水平リブ２ａの外側先端部２ａ’を超えて、上方に延在する補強部材５、即ち、図４において、点線で示されている、上述した実施例の四分円状の円弧状上面５ｂ部分を省略して、略方形状の補強部材５とすることもできる。
【００１５】
上述したように、底部１の底部長側壁１ａと端部係止ブロック４とにより形成される内壁面１ｃと、底部短側壁１ｂの上面１ｂ１とにより形成される隅部に、補強部材５を配設したので、底部短側壁１ｂより背が高く、また、横方向の幅がより長い底部長側壁１ａの強度を増加することができ、従って、折り畳みコンテナーの全体の強度や剛性を高めることができ、ひいては、折り畳みコンテナーの寿命を延ばすことができる。特に、上述したように、四分円状の円弧状上面５ｂ部分を形成して、補強部材５の底部長側壁１ａ側の上部角部５ａが、底部長側壁１ａの両端部に形成された端部係止ブロック４の底部短側壁１ｂ方向に延在する突出部４ｂ”と同じ高さになるように構成することにより、補強部材５を大きくすることができ、従って、底部長側壁１ａの強度を更に増加することができ、折り畳みコンテナーの全体の強度や剛性をより高めることができる。
【００１６】
また、上述した実施例には、底部長側壁１ａの両端部に、底部長側壁１ａを超えて、上方に延在する端部係止ブロック４が形成されている例が示されているが、このような端部係止ブロック４を省略することができる。この場合には、補強部材５は、図４に点線で示されているような、四分円状の円弧状上面５ｂ部分が省略された、略方形状に形成されることになる。
【００１７】
なお、上述した底部１、長側壁２及び短側壁３は、それぞれ、射出成形等により、合成樹脂で一体に成形されることが好ましい。
【００１８】
【発明の効果】
本発明は、以上説明した構成を有しているので、以下に記載する効果を奏するものである。
【００１９】
底部長側壁の内壁面と底部短側壁の上面とにより形成される隅部に、補強部材を配設したので、底部短側壁より背が高く、また、横方向の幅がより長い底部長側壁の強度を増加することができ、従って、折り畳みコンテナーの全体の強度や剛性を高めることができ、ひいては、折り畳みコンテナーの寿命を延ばすことができる。
【００２０】
補強部材の底部長側壁側の上部角部が、底部長側壁の両端部に形成された端部係止ブロックと略同じ高さを有するとともに、補強部材には、略水平状態の長側壁を直方向に回動させる過程において、長側壁の下端部が補強部材に当接しないような曲率半径を有する円弧状上面が形成されているので、補強部材をより大きくすることができ、従って、底部長側壁の強度を更に増加することができ、折り畳みコンテナーの全体の強度や剛性をより高めることができる。
【図面の簡単な説明】
【図１】図１は本発明の折り畳みコンテナーの組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は折り畳まれた状態の本発明の折り畳みコンテナーの角部付近の部分斜視図である。
【図５】図５は短側壁が略水平で長側壁が略垂直に立てられた状態の本発明の折り畳みコンテナーの角部付近の部分斜視図である。
【図６】図６は従来の折り畳みコンテナーの組み立てられた状態の斜視図である。
【図７】図７は従来の折り畳みコンテナーの組み立て途中の斜視図である。
【図８】図８は従来の折り畳みコンテナーの折り畳まれた状態の斜視図である。
【符号の説明】
１・・・・・・・・・・・・底部
２・・・・・・・・・・・・長側壁
３・・・・・・・・・・・・短側壁
４・・・・・・・・・・・・端部係止ブロック
５・・・・・・・・・・・・補強部材
【図１】
0003728190.tif 000002
【図２】
0003728190.tif 000003
【図３】
0003728190.tif 000004
【図４】
0003728190.tif 000005
【図５】
0003728190.tif 000006
【図６】
0003728190.tif 000007
【図７】
0003728190.tif 000008
【図８】
0003728190.tif 000009